Podtech/llm-jp-corpus-v4-ja_patent huggingface dataset:
(57)【要約】【課題】電力変換回路を構成する、筐体４内に並設された複数の半導体素子２を備える電力変換装置１であって、装置本体部分の小型化を図りつつ半導体素子２を冷却できるようにしたものを提供する。【解決手段】筐体４の一組の対向する面の一方と他方に入口４１と出口４２とが設けられ、絶縁性の液体から成る冷却液が筐体４内に充填されると共に、出口４２から入口４１に冷却液を戻す、ポンプ５１と放熱器５２とが介設された循環回路５を備える。【選択図】図１
2020018049.tif 000002
【特許請求の範囲】
【請求項１】
電力変換回路を構成する、筐体内に並設された複数の半導体素子を備える電力変換装置であって、
筐体の一組の対向する面の一方と他方に入口と出口とが設けられ、絶縁性の液体から成る冷却液が筐体内に充填されると共に、出口から入口に冷却液を戻す、ポンプと放熱器とが介設された循環回路を備えることを特徴とする電力変換装置。
【請求項２】
筐体の前記一組の対向する面は、前記半導体素子の並設方向に対して直交する水平方向に対向する面であることを特徴とする請求項１記載の電力変換装置。
【請求項３】
筐体の前記一組の対向する面は、筐体の上面と下面であり、筐体の下面に入口が設けられ、筐体の上面に出口が設けられることを特徴とする請求項１記載の電力変換装置。
【発明の詳細な説明】
【技術分野】
【０００１】
本発明は、電力変換回路を構成する半導体素子を備える電力変換装置に関する。
【背景技術】
【０００２】
従来、この種の電力変換装置において、半導体素子は筐体内に複数並設されている（例えば、特許文献１参照）。
【０００３】
ところで、上記従来例のものでは、半導体素子を冷却するために、冷却フィンを有する冷却部が半導体素子に接するように設置されている。然し、このものでは、電力変換装置の装置本体部分が筐体と冷却部とを含む大型のものとなり、装置本体部分の設置スペースを広く確保することが必要となる。
【先行技術文献】
【特許文献】
【０００４】
【特許文献１】特開２０１０−２８４０４９号公報
【発明の概要】
【発明が解決しようとする課題】
【０００５】
本発明は、以上の点に鑑み、装置本体部分の小型化を図りつつ半導体素子を冷却できるようにした電力変換装置を提供することをその課題としている。
【課題を解決するための手段】
【０００６】
上記課題を解決するために、本発明は、電力変換回路を構成する、筐体内に並設された複数の半導体素子を備える電力変換装置であって、筐体の一組の対向する面の一方と他方に入口と出口とが設けられ、絶縁性の液体から成る冷却液が筐体内に充填されると共に、出口から入口に冷却液を戻す、ポンプと放熱器とが介設された循環回路を備えることを特徴とする。
【０００７】
本発明によれば、放熱器で放熱されて冷却された冷却液が入口から出口に向けて筐体内を流れ、この冷却液により半導体素子が冷却される。そして、循環回路に介設するポンプ及び放熱器は、筐体、即ち、電力変換装置の装置本体部分から離れた適宜の空きスペースに配置できるため、装置本体部分の小型化を図りつつ半導体素子を冷却できる。
【０００８】
尚、本発明において、筐体の前記一組の対向する面は、前記半導体素子の並設方向に対して直交する水平方向に対向する面であることが望ましい。これによれば、並設された半導体素子間の間隙に入口から出口に向けてスムーズに冷却液が流れ、半導体素子を効率よく冷却できる。
【０００９】
また、筐体の前記一組の対向する面を筐体の上面と下面とし、筐体の下面に入口を設け、筐体の上面に出口を設けてもよい。これによれば、半導体素子の冷却で加温された冷却液が筐体内を自然に上昇し、この上昇力がポンプの力に加味されて冷却液が循環する。従って、半導体素子の並設方向に関わらず、半導体素子間の間隙に下方から上方に向けてスムーズに冷却液が流れ、半導体素子を効率よく冷却できる。
【図面の簡単な説明】
【００１０】
【図１】本発明の第１実施形態の電力変換装置の構成図。
【図２】図１の電力変換装置の斜視図。
【図３】第２実施形態の電力変換装置の斜視図。
【発明を実施するための形態】
【００１１】
図１及び図２を参照して、１は、本発明の第１実施形態の電力変換装置を示している。電力変換装置１は、電力変換回路を構成する三相（Ｕ相、Ｖ相、Ｗ相）の半導体素子２と、電力変換回路の直流端子に接続されて直流電流を平滑するフィルタコンデンサ３とを備えている。半導体素子２は、筐体４内の基板２１に複数（例えば、４つ）並設され、これらは導体２２により接続されている。
【００１２】
本実施形態では、筐体４の一組の対向する面のうち、半導体素子２の並設方向に対して直交する水平方向に対向する面の一方と他方に入口４１と出口４２とが設けられている。そして、電力変換装置１は、ポンプ５１と放熱器５２とが介設された循環回路５を備え、絶縁性の液体から成る冷却液が筐体４内に充填されると共に、出口４２から入口４１に冷却液を戻すようにしている。
【００１３】
また、入口４１と半導体素子２との間には整流フィン６１が設けられており、入口４１から流入した冷却液が並設された半導体素子２間の間隙や半導体素子２の並設方向外方に向けて流れるようにしている。筐体４とフィルタコンデンサ３の間には、この間に冷却液が流れないようにシール部材３１が設けられている。
【００１４】
本実施形態によれば、放熱器５２で放熱されて冷却された冷却液が入口４１から出口４２に向けて筐体４内を流れ、この冷却液により半導体素子２が冷却される。そして、循環回路５に介設するポンプ５１及び放熱器５２は、筐体４、即ち、電力変換装置１の装置本体部分から離れた適宜の空きスペースに配置できるため、装置本体部分の小型化を図りつつ半導体素子２を冷却できる。更に、半導体素子２の並設方向に対して直交する水平方向に対向する筐体４の面に入口４１と出口４２とが設けられているため、並設された半導体素子２間の間隙に入口４１から出口４２に向けてスムーズに冷却液が流れ、半導体素子２を効率よく冷却できる。
【００１５】
以上、本発明の第１実施形態について図面を参照して説明したが、本発明はこれに限定されない。例えば、図３に示す第２実施形態の如く、筐体４の下面に入口４１ａを設け、筐体４の上面に出口４２ａを設けてもよい。この場合、半導体素子２間の間隙に対応させて、半導体素子２の取付箇所以外の基板２１の部分にスリット２１１を設ければよい。これによれば、半導体素子２の冷却で加温された冷却液が筐体４内を自然に上昇し、この上昇力がポンプ５１の力に加味されて冷却液が循環する。従って、半導体素子２の並設方向に関わらず、半導体素子２間の間隙に下方から上方に向けてスムーズに冷却液が流れ、半導体素子２を効率よく冷却できる。
【符号の説明】
【００１６】
１…電力変換装置、２…半導体素子、４…筐体、４１，４１ａ…入口、４２，４２ａ…出口、５…循環回路、５１…ポンプ、５２…放熱器。
【図１】
2020018049.tif 000003
【図２】
2020018049.tif 000004
【図３】
2020018049.tif 000005
(57)【要約】      （修正有）【課題】育苗ポット内の植物苗を分割しやすいように、また分画された植物苗の生育に偏りがないようにダンボール等浸水性があり、生分解性のある素材を組み合わせた育苗ポット内分画板を提供する。【解決手段】ダンボールのような浸水性があり、生分解性のある素材１、２を組み合わせた分画板３を、一般的な育苗ポット内に装入することを特徴とする育苗ポット内分画板である。【選択図】図３
2020018280.tif 000002
【特許請求の範囲】
【請求項１】
ダンボール等浸水性があり、生分解性のある素材を切断し、切り込みを組み合わせて作成した育苗ポット内分画板
【発明の詳細な説明】
【技術分野】
【０００１】  この発明は、育苗ポット内に複数の植物苗を互いに根絡みしないよう装入でき、しかも移植の作業性を向上させ、さらに生育に手間を増やさず、使用後の廃棄性に優れた育苗ポット内分画板に関するものである。
【背景技術】
【０００２】従来、一つのポットに複数の幼苗を植えこむことができる植物育苗ポットは、分画板と一体となっているか、浸水性が低い素材で間仕切りがなされていた。
【先行技術文献】
【特許文献】
【０００３】
【特許文献】実願２００６−４７００
【発明の概要】
【発明が解決しようとする課題】
【０００４】従来の間仕切りがなされているポットでは、一つずつ灌水、肥料の管理を行わなければならず、必ずしも複数の幼苗が平均的に生育するとは限らず、出来上がりに偏りが出ることが多かった。本発明は、以上のような欠点をなくすためになされたものである。
【課題を解決するための手段】
【０００５】ダンボールのような浸水性があり、生分解性のある素材（１）（２）を組み合わせた分画板（３）を、一般的な育苗ポット内に装入する。本発明は、以上の構成よりなる育苗ポット内分画板である。
【発明の効果】
【０００６】本ポット内分画板を使用することで、分画板に設けられた切断箇所（４）により、ポット内が分割されてはいるが、水または肥料をポット内の一か所に与えるだけで、水または肥料は、それぞれの仕切られた植物苗に回るため、従来より比較的均質な植物の育成に効果のあるものである。
また、分画板の耐久性が浸水及び生分解により弱くなるため、一つのポット内の土塊を取り出したのち、素手で容易に、それぞれの苗に見合った量の土塊ごとに分割できる。根がらみもわずかであるため、一本ずつ苗を取り扱うときに便利である。さらに、植物への損傷も低減させることができる。
【図面の簡単な説明】
【０００７】
【図１】本発明の正面図である。
【図２】本発明の正面図である。
【図３】本発明の斜視図である。
【図４】本発明の斜視図である。
【発明を実施するための形態】
【０００８】以下、本発明を実施するための形態について説明する。ダンボール等浸水性があり、生分解性のある素材を切断する（１）（２）。素材（１）の下部に設けられた切り込みに、素材（２）の上部に設けられた切り込みをお互いに差し込み、組み合わせる。本発明は、以上のような構造である。これを使用するときは、一体となったこの製品を、一般的な育苗ポット内に装入し、土を入れ、蒔種または植苗または挿し木などすればよい。また、素材（１）（２）の形状を工夫すれば分画数を変えることもできる。
【符号の説明】
【０００９】  １  ダンボール等浸水性があり、生分解性のある素材を切断し、下部に切り込みのあるもの
２  ダンボール等浸水性があり、生分解性のある素材を切断し、上部に切り込みのあるもの
３  １，２を組み合わせた育苗ポット内分画板
４  分画板に設けられた切断箇所
５  一般的な育苗ポット
【図１】
2020018280.tif 000003
【図２】
2020018280.tif 000004
【図３】
2020018280.tif 000005
【図４】
2020018280.tif 000006